(57)【要約】【課題】使用に際しての利便性及び能率性を高めるとともに、加えて保管性及び経済性を高める。【解決手段】少なくとも雪を掬える軽量素材で形成したスコップ本体２及びこのスコップ本体２に取付けた柄体３からなるメインスコップ部Ａと、少なくとも氷を砕ける硬質素材で形成し、メインスコップ部Ａに対して着脱可能に構成するとともに、少なくともメインスコップ部Ａに装着した際にスコップ本体２の先端縁２ｆよりも前方に突出して先端エッジ４を形成するサブスコップ部Ｂを具備する。【選択図】図１
2004124391.tif 000002
【特許請求の範囲】
【請求項１】
少なくとも雪を掬える軽量素材で形成したスコップ本体及びこのスコッ本体に取付けた柄体からなるメインスコップ部と、少なくとも氷を砕ける硬質素材で形成し、前記メインスコップ部に対して着脱可能に構成するとともに、少なくとも前記メインスコップ部に装着した際に前記スコップ本体の先端縁よりも前方に突出して先端エッジを形成するサブスコップ部を具備することを特徴とするスノースコップ。
【請求項２】
前記サブスコップ部は、前記スコップ本体の先端縁に係止する係止部と、前記スコップ本体の後部及び／又は前記柄体に取付ける取付部を有することを特徴とする請求項１記載のスノースコップ。
【請求項３】
前記取付部は、前記スコップ本体と前記柄体を固定する固定具を利用して前記スコップ本体の後部及び／又は前記柄体に取付けることを特徴とする請求項２記載のスノースコップ。
【請求項４】
前記サブスコップ部は、前記メインスコップ部に装着した際に前記スコップ本体の後端縁よりも後方に突出する足掛部を有することを特徴とする請求項１記載のスノースコップ。
【発明の詳細な説明】
【０００１】
【発明の属する技術分野】
本発明は、降雪地においてあらゆる状態の雪を除去することができるスノースコップに関する。
【０００２】
【従来の技術】
一般に、降雪地では、住宅の庭や路地等に積もった雪を除去する雪片付けが必要になり、雪片付けには、通常、スノースコップが用いられる。
【０００３】
ところで、この種のスノースコップは、プラスチック素材等の軽量素材で形成したスコップ本体及びこのスコップ本体に取付けた柄体から構成されるため、雪を掬い上げる用途には適しているが、それ以外の用途には適さない。このため、従来では、例えば、屋根の軒部の雪を下から降ろす場合、別途用意した付属具をスノースコップに取付け、この付属具を利用して屋根の雪を降ろせるようにしたスノースコップ（雪落し具）も、実開昭６２−１３７９３１号公報で提案されている。
【０００４】
【特許文献１】
実開昭６２−１３７９３１号公報
【０００５】
【発明が解決しようとする課題】
しかし、従来のスノースコップや付属具は、いずれも柔らかい雪を対象に製作されていたため、例えば、住宅の庭等に積もった雪を除去する場合、降雪後間もない雪であれば、特に問題なく雪片付けを行うことができるが、降雪後時間が経過し、雪解けが生じた場合、気温の低い朝夕には、雪面や地面が凍結（氷面化）した状態となるため、プラスチック素材等の軽量素材で形成された従来のスノースコップでは除去することが困難となる。
【０００６】
結局、従来は、金属素材により形成されたシャベルを別途用意し、雪の状態に応じてシャベルとスノースコップを使い分けなければならないなど、使用に際しての利便性及び能率性に劣るとともに、保管性及び経済性にも劣る不具合があった。
【０００７】
本発明は、このような従来の技術に存在する課題を解決したものであり、使用に際しての利便性及び能率性を高めるとともに、加えて保管性及び経済性を高めることができるスノースコップの提供を目的とする。
【０００８】
【課題を解決するための手段及び実施の形態】
本発明に係るスノースコップ１は、少なくとも雪を掬える軽量素材で形成したスコップ本体２及びこのスコップ本体２に取付けた柄体３からなるメインスコップ部Ａと、少なくとも氷を砕ける硬質素材で形成し、メインスコップ部Ａに対して着脱可能に構成するとともに、少なくともメインスコップ部Ａに装着した際にスコップ本体２の先端縁２ｆよりも前方に突出して先端エッジ４を形成するサブスコップ部Ｂを具備することを特徴とする。
【０００９】
この場合、好適な実施の形態により、サブスコップ部Ｂには、スコップ本体２の先端縁２ｆに係止する係止部１１ａ，１１ｂと、スコップ本体２の後部及び／又は柄体３に取付ける取付部１２を設けることができ、この際、取付部１２は、スコップ本体２と柄体３を固定する固定具１３を利用してスコップ本体２の後部及び／又は柄体３に取付けることができる。さらに、サブスコップ部Ｂには、メインスコップ部Ａに装着した際にスコップ本体２の後端縁２ｒよりも後方に突出する足掛部１４ｐ，１４ｑを設けることができる。
【００１０】
これにより、住宅の庭等に積もった雪を除去する場合であって、降雪後間もない雪は、サブスコップ部Ｂを装着しない通常のスノースコップ１を用いて雪片付けを行うことができるとともに、降雪後時間が経過し、雪面や地面が凍結（氷面化）した状態になっているときは、サブスコップ部Ｂを装着したスノースコップ１を用いて雪片付けを行うことができる。この場合のスノースコップ１は、凍結した雪（氷）を砕く用途と、凍結していない雪を掬う用途と、砕いた氷片を掬う用途にそれぞれ兼用でき、あらゆる状態の雪を、実質的に単一のスノースコップ１により除去できる。
【００１１】
【実施例】
次に、本発明に係る好適な実施例を挙げ、図面に基づき詳細に説明する。
【００１２】
まず、本実施例に係るスノースコップ１の構成について、図１〜図５を参照して説明する。
【００１３】
スノースコップ１は、メインスコップ部Ａとサブスコップ部Ｂを備える。メインスコップ部Ａは、図２（図１）に示すように、スコップ本体２とこのスコップ本体２に取付けた柄体３を備え、雪を掬うことができる公知の一般的なスノースコップと同様に構成することができる。したがって、公知の一般的なスノースコップをそのままメインスコップ部Ａとして利用することもできる。
【００１４】
スコップ本体２は、雪を掬って載せる矩形状のベース部２１と、このベース部２１の左右辺及び後辺から起立したフェンス部２２と、このフェンス部２２の後端中央から後方へ突出した筒状のジョイント部２３を有し、少なくとも雪を掬うことができるプラスチック素材等の軽量素材で一体成形する。これにより、ベース部２１の先端は、スコップ本体２の先端縁２ｆとなり、フェンス部２２の後端は、スコップ本体２の後端縁２ｒとなる。
【００１５】
一方、柄体３は、作業する人が手で持つことができる木質素材の丸棒を所定長さに形成して用いる。また、柄体３とスコップ本体２の取付けは、図５に示すように、柄体３の先端をジョイント部２３に挿入するとともに、ジョイント部２３の中間位置であって当該ジョイント部２３と柄体３の双方に貫通形成した縦方向のボルト挿通孔に、ボルト１３ｂを挿通した後、ボルト１３ｂの先端にナット１３ｎを螺着して固定する。これにより、ジョイント部２３と柄体３は一体に結合される。このボルト１３ｂとナット１３ｎは、固定具１３を構成する。
【００１６】
他方、サブスコップ部Ｂは、図３（図５）に示すように、一枚のプレート材をプレス成形することにより形成できる。プレート材には、少なくとも氷を砕くことができる金属素材等の硬質素材を用いる。サブスコップ部Ｂは、ベース部２１の下面に重なる本体部３１と、この本体部３１の後端から斜め上後方へ折曲した延設部３２を有する。そして、本体部３１の先端付近には、左右一対の係止部１１ａ，１１ｂを形成するとともに、延設部３２の後端中央には、後方に突出した取付部１２を形成する。この場合、係止部１１ａ，１１ｂは、スコップ本体２の先端縁２ｆに係止するように、本体部３１から上方へＬ形に突出形成するとともに、取付部１２はジョイント部２３（スコップ本体２の後部）の下面に嵌合するように湾曲形成する。また、取付部１２には、前述したボルト１３ｂが挿通するボルト挿通孔１２ｓを設ける。さらに、取付部１２の両側に位置する延設部３２の後端縁には、下方へ湾曲させた足掛部１４ｐ，１４ｑを形成する。
【００１７】
これにより、サブスコップ部Ｂは、メインスコップ部Ａに対して自由に着脱可能となり、サブスコップ部Ｂをメインスコップ部Ａに装着した際は、サブスコップ部Ｂの前端が、スコップ本体２の先端縁２ｆよりも前方に突出して先端エッジ４になるとともに、サブスコップ部Ｂの足掛部１４ｐ，１４ｑは、スコップ本体２の後端縁２ｒよりも後方に突出し、作業する人が後方から足で足掛部１４ｐ，１４ｑを押すことができる。
【００１８】
次に、本実施例に係るスノースコップ１の使用方法について、図１〜図５を参照して説明する。
【００１９】
まず、住宅の庭等に積もった雪であって、降雪後間もない雪を片付ける場合には、サブスコップ部Ｂを装着しないメインスコップ部Ａのみのスノースコップ１を用いて雪片付けを行うことができる。即ち、図２に示すメインスコップ部Ａのみのスノースコップ１を用いる。これにより、比較的軽量となる一般的なスノースコップ１を用いて通常の雪片付けを行うことができる。
【００２０】
一方、降雪後時間が経過し、雪面や地面が凍結（氷面化）した状態になっている場合には、サブスコップ部Ｂをメインスコップ部Ａに装着したスノースコップ１を用いて雪片付けを行うことができる。サブスコップ部Ｂを装着するには、まず、メインスコップ部Ａにおけるナット１３ｎを緩めてジョイント部２３からボルト１３ｂを離脱する。そして、図１及び図４に示すように、サブスコップ部Ｂの係止部１１ａ，１１ｂを、スコップ本体２の先端縁２ｆに係止させるとともに、取付部１２をジョイント部２３の下面に重ね、この状態で、再度、ボルト１３ｂを、ジョイント部２３，柄体３及び取付部１２（ボルト挿通孔１２ｓ）に貫通させ、ナット１３ｎを螺着して固定する。このように、サブスコップ部Ｂの装着は、メインスコップ部Ａに用いる固定具１３を利用できるとともに、容易にサブスコップ部Ｂの装着を行うことができる。
【００２１】
これにより、サブスコップ部Ｂを装着したスノースコップ１は、サブスコップ部Ｂの装着分だけ若干重くなるが、凍結した雪（氷）を砕く用途と、凍結していない雪を掬う用途と、砕いた氷片を掬う用途にそれぞれ兼用できる。即ち、スコップ本体２の先端縁２ｆから前方に突出した先端エッジ４により、凍結した雪（氷）を砕くことができ、この際、作業する人は、足掛部１４ｐ，１４ｑに足を掛け、前方へ押すことにより容易に砕くことができる。また、全体のスコップ形態は、ほとんど変わらないため、凍結していない雪を掬ったり、或いは砕いた氷片を掬ったりして雪や氷片を容易に片付けることができる。なお、メインスコップ部Ａからサブスコップ部Ｂを離脱する際も、装着時と逆の手順により容易に離脱することができる。
【００２２】
このように本実施例に係るスノースコップ１は、あらゆる状態の雪を、実質的に単一のスノースコップ１により除去できるため、使用に際しての利便性及び能率性を高めることができるとともに、加えて保管性及び経済性を高めることができる。また、メインスコップ部Ａに対するサブスコップ部Ｂの着脱も一つのボルト・ナット操作のみで極めて容易に行うことができる。
【００２３】
以上、実施例について詳細に説明したが、本発明はこのような実施例に限定されるものではなく、細部の構成，形状，素材，数量等において、本発明の要旨を逸脱しない範囲で、任意に変更，追加，削除することができる。
【００２４】
【発明の効果】
このように、本発明に係るスノースコップは、雪を掬える軽量素材で形成したスコップ本体及びこのスコッ本体に取付けた柄体からなるメインスコップ部と、氷を砕ける硬質素材で形成し、メインスコップ部に対して着脱可能に構成するとともに、メインスコップ部に装着した際にスコップ本体の先端縁よりも前方に突出して先端エッジを形成するサブスコップ部を具備するため、次のような顕著な効果を奏する。
【００２５】
（１）　あらゆる状態の雪を、実質的に単一のスノースコップにより除去できるため、使用に際しての利便性及び能率性を高めることができるとともに、加えて。保管性及び経済性を高めることができる。
【００２６】
（２）　好適な実施の形態により、サブスコップ部に、スコップ本体の先端縁に係止する係止部と、スコップ本体の後部及び／又は柄体に取付ける取付部を設けるとともに、取付部を、スコップ本体と柄体を固定する固定具を利用してスコップ本体の後部及び／又は柄体に取付けるようにすれば、メインスコップ部に対するサブスコップ部の着脱を極めて容易に行うことができる。
【００２７】
（３）　好適な実施の形態により、サブスコップ部に、メインスコップ部に装着した際にスコップ本体の後端縁よりも後方に突出する足掛部を設ければ、作業する人は、凍結した雪（氷）を容易に砕くことができる。
【図面の簡単な説明】
【図１】本発明の好適な実施例に係るスノースコップの斜視図、
【図２】同スノースコップに備えるメインスコップ部の一部を示す斜視図、
【図３】同スノースコップに備えるサブスコップ部の斜視図、
【図４】同スノースコップの一部を示す一部断面側面図、
【図５】同スノースコップにおけるメインスコップ部とサブスコップ部を離脱させた状態の一部を示す一部断面側面図、
【符号の説明】
１　　　スノースコップ
２　　　スコップ本体
２ｆ　　スコップ本体の先端縁
２ｒ　　スコップ本体の後端縁
３　　　柄体
４　　　先端エッジ
１１ａ　係止部
１１ｂ　係止部
１２　　取付部
１３　　固定具
１４ｐ　足掛部
１４ｑ　足掛部
Ａ　　　メインスコップ部
Ｂ　　　サブスコップ部
【図１】
2004124391.tif 000003
【図２】
2004124391.tif 000004
【図３】
2004124391.tif 000005
【図４】
2004124391.tif 000006
【図５】
2004124391.tif 000007